(57)【要約】【課題】  スピーカ装置前面のスピーカパネルを構成するパンチングメタル、およびスピーカグリルとの取り付け部における共振により発生する異音を防止する構造の提供。【解決手段】  パンチングメタルをスピーカグリルに取り付け時、パンチングメタル周辺部に突設された取り付け用舌片、およびスピーカグリルの可撓性を有する係合片の双方に曲げ応力を加え、スピーカグリルの背面で折り曲げる。曲げ応力を取り去った後に、パンチングメタルはスプリングバック現象により折り曲げ部が僅かに復元するが、スピーカグリルの係合片も同様に復元し、両者の対向面の当接状態は維持され離隔しないため、振動によりパンチングメタルが不安定に共振することなく、異音発生を防止することが出来る。【選択図】  図５
2007116220.tif 000002
【特許請求の範囲】
【請求項１】
前面にスピーカパネルを有するスピーカ装置において、該スピーカパネルの構成要素として、可撓性を有する係合片を一体に成型したスピーカグリルを具備したことを特徴とするスピーカ装置。
【請求項２】
請求項１に記載のスピーカ装置において、前記スピーカパネルの構成要素としてパンチングメタルを用い、該パンチングメタルの周辺部に突設した舌片を設け、該舌片に曲げ応力を加えることにより、該舌片が前記スピーカグリルの該係合片と当接しながら共に撓むように前記舌片と前記係合片を配設したことを特徴とするスピーカ装置。
【発明の詳細な説明】
【技術分野】
【０００１】
本発明は、オーディオ機器のスピーカ装置の一部であるスピーカパネルを構成するスピーカグリル前面に配設されるパンチングメタルの取り付け構造に関するもので、詳しくは、スピーカパネル前面に配設されるパンチングメタルの周辺部に突設された取り付け用舌片を樹脂製の該スピーカグリルの周辺部にて折り曲げ、該パンチングメタルを該スピーカグリルに取り付ける構造に関するものである。
【背景技術】
【０００２】
金属薄板に曲げ応力を加え、所定の角度に折り曲げた後に、曲げ応力を取り去り、該金属薄板を定常状態に置くと、金属部材が有する弾性に基づくスプリングバック現象により、該金属薄板の折り曲げ部が僅かに復元し、折り曲げ角度が小さくなる。
【０００３】
薄板状の金属部材で構成されるパンチングメタルの周辺部に突設された舌片を折り曲げ、樹脂部材で構成されるスピーカグリルに取り付ける構造を有するスピーカパネルにあっては、曲げ応力を取り去った後に、金属薄板により構成されるパンチングメタル周辺部に突設された舌片がスプリングバック現象により折り曲げ角度が減少し、スピーカグリルとの当接面から離隔し、不確実な固定、またはパンチングメタル周辺部の舌片の共振による異音発生の原因となる。これらの問題への簡便な対応としては、接着剤により、パンチングメタル周辺部に突設された舌辺、およびスピーカグリルを接合する手段が広く適用されている。
【０００４】
金属薄板への曲げ応力を取り去った定常状態においても、所望の折り曲げ角度を維持する従来の技術手段例としては、特許文献１に見られるごとく、金属薄板で構成される電子部品の電極端子の折り曲げに際し、特許文献１に見られるごとく、折り曲げた金属端子のスプリングバック現象を抑える目的で、別体部品である電極端子押さえ金具により、折り曲げた電極端子の先端部を該電子部品の本体に押しつけ、固定する考案がなされている。
【０００５】
しかしながら、前記の特許文献１では、折り曲げた電極端子がスプリングバック現象により、跳ね上がることを防止するための別体部品である端子押さえ金具や取り付けのためのコストを必要とする問題がある。
【特許文献１】特開２０００−２１６８２  「電子部品」
【発明の開示】
【発明が解決しようとする課題】
【０００６】
スピーカパネル用パンチングメタルをスピーカグリルに取り付け時に、パンチングメタル、およびスピーカグリルの相互の位置を合わせ、パンチングメタル周辺部に突設された複数の舌片を、スピーカグリル周辺部近傍に設けられた所定のスリット孔に挿通し、該スピーカパネル用パンチングメタル周辺部に突設された舌片をスピーカグリルの背面で折り曲げ、スピーカパネル用パンチングメタルをスピーカグリルに取り付ける。
【０００７】
しかしながら、折り曲げられた薄板状の金属薄板部材で構成される舌片は金属部材が有する弾性に基づくスプリングバック現象により僅かに復元し、折り曲げ角度が小さくなり、不確実な取り付けの原因、またはスピーカの振動板の振動により発生する空気の疎密波が、スピーカ前面に位置するスピーカパネル用パンチングメタルを振動させ、さらに、パンチングメタル周辺部に突設された舌片に伝導し、該舌辺がスピーカグリルに不安定に接触しながら共振するため、異音発生の原因となる。
【０００８】
また、前記の折り曲げられたスピーカパネル用パンチングメタル周辺部に突設された舌辺が、スプリングバックし、スピーカグリルへの不確実な取り付けの原因となること、およびスピーカパネル用パンチングメタル周辺部に突設された舌辺が共振し、スピーカグリルに不安定に接触することによる異音の発生原因となることを防止するために接着剤を使用した場合には、該製品の使用後における解体分別作業に困難が伴い、資源再利用の観点から問題を惹起する。
【課題を解決するための手段】
【０００９】
スピーカ装置において、該スピーカ装置を構成するスピーカパネル用パンチングメタルをスピーカグリルに取り付け時に、パンチングメタル周辺部に突設された舌片が、樹脂部材で構成されるスピーカグリルと一体に形成した可撓性を有する係合片に当接するように折り曲げ、当接後、さらに曲げ応力を加えるとパンチングメタル周辺部に突設された舌片の弾性限界を超え、永久変形する。同時にパンチングメタルの舌片に押された樹脂部材で構成されるスピーカグリルの可撓性を有する係合片の根本部分が撓む。曲げ応力を取り去ることにより、金属薄板部材で構成されるパンチングメタルはスプリングバック現象により折り曲げ部が僅かに復元するが、当接するスピーカグリルの係合片も同様に復元するため、両者の対向面は離隔することなく当接状態を維持し、従って、パンチングメタル周辺部に突設された舌片が、振動により不安定に共振することによる異音の発生を防止することが出来る。
【発明の効果】
【００１０】
スピーカパネル用パンチングメタルをスピーカグリルに取り付け時に、パンチングメタル周辺部に突設された舌片と共に、樹脂部材で構成されるスピーカグリルの可撓性を有する係合片に曲げ応力を加えながら、スピーカグリルの背面で折り曲げることにより、曲げ応力を取り去った後に、金属薄板部材で構成されるパンチングメタルはスプリングバック現象により折り曲げ部が僅かに復元するが、当接するスピーカグリル周辺部の可撓性を有する係合片も同様に復元するため、両者の対向面は離隔することなく当接状態を維持し、従って、パンチングメタル周辺部に突設された舌片が、振動により不安定に共振することによる異音の発生を防止することが出来る。
【発明を実施するための最良の形態】
【００１１】
図に基づき本発明の実施形態を液晶テレビに適用した場合に関し、以下に説明する。図１（ａ）は液晶テレビの上面図、図１（ｂ）は液晶テレビの前面図である。図１において、１は液晶テレビ、１ａは液晶表示パネルで、液晶表示パネル１ａは画像表示面を露出させ、キャビネット１ｂに取り付けられている。１ｃは内部にスピーカを内蔵したスピーカ装置であり、スピーカ装置１ｃの前面には内蔵されたスピーカからの放音のために、多数の小孔が穿孔されたパンチングメタル２が取り付けられている。１ｄは液晶テレビ１をテーブルタイプの液晶テレビとして使用するために、液晶テレビ１の本体背面に取り付けられたスタンドである。
【００１２】
図２は前記スピーカ装置１ｃの分解斜視図である。スピーカ装置１ｃは、良好な音響特性を発揮させるために一定の内容積を有するスピーカボックス５と、スピーカ４が取り付けられ、スピーカボックス５前面の開口面を閉鎖するためのスピーカパネル６により構成されている。さらに、スピーカパネル６はスピーカグリル３、およびパンチングメタル２から構成されている。スピーカグリル３はスピーカ４から発生する音響振動を効率良く前面に放出させるためにスピーカ放音用開口３ｃを有し、樹脂部材により形成されている。
【００１３】
スピーカグリル３の前面には、スピーカ４からの放音、および美麗な外観を提供するための意匠面での必要性から、多数の小孔を穿孔したパンチングメタル２が配設されている。該パンチングメタル２を前記スピーカグリル３に取り付ける目的で、パンチングメタル２の周辺部には複数の舌片２ａが、略等間隔で設けられ、該舌片２ａはスピーカグリル３の周辺部の所定位置に配設されたスリット孔３ａに挿通される。
【００１４】
図３は、スピーカボックス５に取り付けられたスピーカパネル６の構成要素であるスピーカグリル３の前面に配設される装飾用を兼ねたパンチングメタル２で、図３（ａ）は前面図、図３（ｂ）は上面図、図３（ｃ）は側面図である。パンチングメタル２はアルミなどの金属薄板部材で構成され、図２に示すスピーカグリル３の背面に取り付けられたスピーカ４から効率良く放音させるため、パンチングメタル２の前面には多数の小孔が穿孔されている。パンチングメタル２の周辺部には、複数の舌片２ａが略等間隔でパンチングメタル２と一体に形成され、スピーカグリル３に配設された所定のスリット孔３ａに挿通され、さらに、折り曲げられ、パンチングメタル２はスピーカグリル３に固定される。
【００１５】
図４は、パンチングメタル２とスピーカグリル３で構成されたスピーカパネル６である。図４（ａ）は側面図、図４（ｂ）は上面図、図４（ｃ）は背面図である。スピーカグリル３は樹脂部材の射出成型加工により形成され、スピーカ放音用開口３ｃの背面には、図２に示すスピーカ４が取り付けられ、前面にはパンチングメタル２が取り付けられる。スピーカグリル３にスピーカ４、およびパンチングメタル２が取り付けられたスピーカパネル６は、取り付けボス３ｂを介し、スピーカボックス５に取り付けられる。
【００１６】
図５は、図１中に鎖線で示す切断線Ｃ−Ｃに沿って切断した横断面図である。図５（ｂ）は、図５（ａ）中に鎖線で囲む領域「Ａ」の拡大図である。図５（ｂ）はパンチングメタル２の周辺部に突設された舌片２ａをスピーカグリル３の周辺部に設けられたスリット孔３ａに挿通した状態を示している。この状態では、パンチングメタル２はスピーカグリル３に固定されていないため、パンチングメタル２の舌片２ａは、スピーカグリル３のスリット孔３ａから容易に抜け去り、離脱する。
【００１７】
このため、図５（ａ）中に鎖線で囲む領域「Ｂ」の拡大図として図５（ｃ）に示すごとく、舌片２ａをスピーカグリル３の係合片３ｄに当接するまで、時計回り方向にヘアピンカーブ状に折り曲げる。この状態でパンチングメタル２の舌片２ａへの曲げ応力を取り去ると、パンチングメタル２の舌片２ａはスプリングバック現象により僅かに戻り、舌片２ａが当接していたスピーカグリル３の係合片３ｄから離隔する。舌片２ａ、および係合片３ｄが離隔した状態で、パンチングメタル２がスピーカ振動板の振動により共振するとパンチングメタル２の舌片２ａが、スピーカグリル３の係合片３ａに不安定に当接し、スピーカから放音される再生プログラムとは異なる異常な共振音を発生する。
【００１８】
前記問題に対応するために、本発明の実施例として図５（ｃ）に示すごとく、パンチングメタル２の舌片２ａを時計回り方向に折り曲げ、パンチングメタル２の舌片２ａの先端部がスピーカグリル３の舌片３ａに当接後も、パンチングメタル２の弾性限界を超え、降伏点に至るまで曲げ応力を加えと、パンチングメタル２の舌片２ａは永久変形する。同時にパンチングメタル２の舌片２ａに押された樹脂部材で構成されるスピーカグリル３の可撓性を有する係合片３ｄの根本部分が撓み、パンチングメタル２の舌片２ａと共に、図５（ｃ）中に鎖線で示すごとく、パンチングメタル２の舌片２ａは２ａａの位置まで、スピーカグリル３の係合片３ｄは３ｄｄの位置まで折り曲げられ、変位する。
【００１９】
前記状態において、パンチングメタル２の舌片２ａ、およびスピーカグリル３の係合片３ａへの応力を取り去ると、パンチングメタル２の舌片２ａの折り曲げが僅かに戻ると同時に、スピーカグリル３の係合片３ａも撓みも戻り、パンチングメタル２の舌片２ａ、およびスピーカグリル３の係合片３ａは、互いの当接状態を維持する。パンチングメタル２の舌片２ａ、およびスピーカグリル３の係合片３ｄが、相互に当接する状態において、スピーカからの振動がパンチングメタル２、および舌片２ａに伝わった場合においても、パンチングメタル２の「振動の腹」となる舌片２ａの先端部分にはスピーカグリル３の係合片３ｄが当接しているため、パンチングメタル２の舌片２ａは共振することはなく、従って異音の発生原因にはならない。
【産業上の利用可能性】
【００２０】
本発明では、液晶テレビ用スピーカ装置のスピーカパネルを構成するスピーカグリル、および該スピーカグリルの前面に配設される装飾用を兼ねたパンチングメタルを実施例として説明しているが、スピーカを内蔵する他の電子機器、微振動を発生するモータ駆動部を内蔵する電子機器、携帯型電子機器などで、且つ、外装用部品として金属薄板を取り付けた製品に適用し、好適である。
【図面の簡単な説明】
【００２１】
【図１】本発明の実施例としての液晶テレビの外観図で、（ａ）は上面の俯瞰図、（ｂ）は前面図である。
【図２】本発明の実施例におけるスピーカ装置の分解斜視図である。
【図３】本発明の実施例におけるスピーカ用パンチングメタルで、（ａ）は前面図、（ｂ）は上面図、（ｃ）は側面図である。
【図４】スピーカグリルの実施例で、（ａ）は側面図、（ｂ）は上面図、（ｃ）は背面図である。
【図５】（ａ）は図１中に鎖線Ｃ−Ｃで示す切断線に沿って切断した横断面図で、（ｂ）、および（ｃ）は、（ａ）中に鎖線で囲む部分の拡大図である。
【符号の説明】
【００２２】
１：  液晶テレビ
１ａ：  液晶表示パネル
１ｂ：  キャビネット
１ｃ：  スピーカ装置
１ｄ：  スタンド
２：  パンチングメタル
２ａ：  舌片
２ａａ：  舌片
３：  スピーカグリル
３ａ：  スリット孔
３ｂ：  取り付けボス
３ｃ：  スピーカ放音用開口
３ｄ：  係合片
３ｄｄ：  係合片
４：  スピーカ
５：  スピーカボックス
６：  スピーカパネル
【図１】
2007116220.tif 000003
【図２】
2007116220.tif 000004
【図３】
2007116220.tif 000005
【図４】
2007116220.tif 000006
【図５】
2007116220.tif 000007